(57)【要約】【課題】ズーム比が３倍程度で、メガオーダの高画質に対応可能な小型軽量の３群４枚構成のズームレンズを提案すること。【解決手段】３群４枚構成のズームレンズ１００は、凸面を物体側に向けた１枚のメニスカスレンズ１からなる負のパワーの第１レンズ群Iと、１枚の凸レンズからなる前側レンズ２と、凸面を物体側に向けた１枚の負のメニスカスレンズからなる後側レンズ３とが一定の間隔を保持した状態で配列された構成の正のパワーの第２レンズ群IIと、１枚の凸レンズ４からなる正のパワーの第３レンズ群IIIとを有している。ワイド端からテレ端への変倍に際し、第３レンズ群が固定され、第１レンズ群と第２レンズ群との間隔が減少し、第２レンズ群と第３レンズ群との間隔が増大するように移動する。第１レンズ群、第２レンズ群および第３レンズ群の各々は、少なくとも１面が非球面である。【選択図】図１
2006126254.tif 000002
【特許請求の範囲】
【請求項１】
物体側より、負のパワーを有する第１レンズ群と、正のパワーを有する第２レンズ群と、正のパワーを有する第３レンズ群とがこの順序に配列されており、
ワイド端からテレ端への変倍に際し、前記第３レンズ群が固定され、前記第１レンズ群と前記第２レンズ群との間隔が減少し、前記第２レンズ群と前記第３レンズ群との間隔が増大するように移動するズームレンズにおいて、
前記第１レンズ群は凸面を物体側に向けた１枚のメニスカスレンズであり、
前記第２レンズ群は、１枚の凸レンズからなる前側レンズと、凸面を物体側に向けた１枚の負のメニスカスレンズからなる後側レンズとが一定の間隔を保持した状態で配列された構成であり、
前記第３レンズ群は１枚の凸レンズであり、
前記第１レンズ群、第２レンズ群および第３レンズ群の各々は、少なくとも１面が非球面であることを特徴とする３群４枚構成のズームレンズ。
【請求項２】
請求項１において、
以下の条件式を満たしていることを特徴とする３群４枚構成のズームレンズ。
０．５＜ｆ２／ＦII＜１．５        （１）
１．５＜｜ＦＩ／ＦII｜＜２．５    （２）
０．１５＜ｄ４／ΣｄII＜０．６５  （３）
０．１＜ＩＨ／ΣｄＷ＜０．３０    （４）
νｄ１＞５０                      （５）
但し、
νｄ１：前記第１レンズ群のアッベ数
ＦＩ：前記第１レンズ群の焦点距離
ＦII：前記第２レンズ群の焦点距離
ｆ２：前記前側レンズの焦点距離
ｄ４：前記前側レンズと前記後側レンズの空気間隔
ΣｄII：前記前側レンズの物体側の面から前記後側レンズの像面側の面までの軸上の距離
ΣｄＷ：ワイド端における第１レンズの物体側の第１面から結像面までの距離
ＩＨ：結像面の最大像高
【請求項３】
請求項２において、
以下の条件式を満たしていることを特徴とする３群４枚構成のズームレンズ。
０．５＜ΣｄII／ＦＷ＜１．１
但し、
ＦＷ：ワイド端の焦点距離
【請求項４】
請求項２または３において、
以下の条件式を満たしていることを特徴とする３群４枚構成のズームレンズ。
０．１＜ＦＷ／ＦIII＜０．７
但し、
ＦIII：前記第３レンズ群の焦点距離
【請求項５】
請求項１ないし４のうちのいずれかの項において、
前記第２レンズ群の前側レンズと後側レンズの空気間隔は、アイリスまたはシャッタを配置するためのスペースであることを特徴とする３群４枚構成のズームレンズ。
【請求項６】
請求項１ないし５のうちのいずれかの項において、
前記第１レンズ群の第１面を非球面とし、この非球面の接平面からのズレ量(サグ量)が光軸から外径に向かって、一旦(＋)方向に向かった後(−)方向となるように設定されていることを特徴とする３群４枚構成のズームレンズ。
【発明の詳細な説明】
【技術分野】
【０００１】
本発明は、ＣＣＤやＣＭＯＳ等の受光素子を用いた監視用カメラ、車載用カメラ、デジタルカメラ、特に携帯電話機搭載カメラに適したメガオーダの高画質に対応した小型軽量な３群４枚構成のズームレンズに関するものである。
【背景技術】
【０００２】
デジタルスチルカメラ、ビデオカメラ、あるいは監視用カメラなどに適したズームレンズとして下記の文献に開示されたものが知られている。特許文献１に開示のズームレンズでは、ズーム比が２倍程度で、その全長が極めて長く、使用レンズ枚数も６枚にて構成されている。また、第２レンズ群は接合レンズとされており、材料費および工数アップの要因となっている。さらに、軽量コンパクトという観点からも改善の余地がある。
【０００３】
特許文献２に開示のズームレンズは、ズーム比が２．５倍程度で構成枚数の少ない簡易な構成でありながら、広角端におけるレンズ全長が、広角端での焦点距離の３〜４倍程度の小型ズームレンズである。しかし、レンズの全長が十分には短くないという点において改良の余地がある。
【特許文献１】特開平１１−２１１９８４号公報
【特許文献２】特開２００３−１７７３１５号公報
【発明の開示】
【発明が解決しようとする課題】
【０００４】
本発明の課題は、このような点に鑑みて、ズーム比を３倍程度とし、メガオーダの高画質に対応可能な４枚構成のズームレンズであって、第２レンズ群を構成する凸レンズと凹レンズによって形成される空気間隔に、アイリス、またはシャッタを配置可能な小型軽量なズームレンズを提供することにある。
【課題を解決するための手段】
【０００５】
上記の課題を解決するため、本発明のズームレンズは、全光学系が４枚の単レンズからなる３群４枚構成のズームレンズであって、第１レンズ群と第２レンズ群の焦点距離の比率配分によってワイド端のときの光学全長とテレ端のときの光学全長をほぼ同じになるようにしてある。また、ワイド端からテレ端への変倍に際し、第１レンズ群は、物体側に対して凹面状の軌跡をなすように移動し、変倍に伴う像面位置の変動を補正する作用を有し、必要に応じて距離調節機能を持たせている。第２レンズ群は、固定された第３レンズ群に対し空気間隔を増大させることにより、ワイドからテレに倍率を変更可能となっている。さらに、第１レンズ群、第２レンズ群および第３レンズ群のそれぞれのレンズ群のレンズ面のうち、少なくとも一つのレンズ面を非球面とすることにより、光学性能を有利にしている。
【０００６】
すなわち、本発明は、物体側より、負のパワーを有する第１レンズ群と、正のパワーを有する第２レンズ群と、正のパワーを有する第３レンズ群とがこの順序に配列されており、ワイド端からテレ端への変倍に際し、前記第３レンズ群が固定され、前記第１レンズ群と前記第２レンズ群との間隔が減少し、前記第２レンズ群と前記第３レンズ群との間隔が増大するように移動するズームレンズにおいて、
前記第１レンズ群は凸面を物体側に向けた１枚のメニスカスレンズであり、
前記第２レンズ群は、１枚の凸レンズからなる前側レンズと、凸面を物体側に向けた１枚の負のメニスカスレンズからなる後側レンズとが一定の間隔を保持した状態で配列された構成であり、
前記第３レンズ群は１枚の凸レンズであり、
前記第１レンズ群、第２レンズ群および第３レンズ群の各々は、少なくとも１面が非球面とされ、以下の条件式を満たしていることを特徴している。
０．５＜ｆ２／ＦII＜１．５        （１）
１．５＜｜ＦＩ／ＦII｜＜２．５    （２）
０．１５＜ｄ４／ΣｄII＜０．６５  （３）
０．１＜ＩＨ／ΣｄＷ＜０．３０    （４）
νｄ１＞５０                      （５）
但し、
νｄ１：前記第１レンズ群のアッベ数
ＦＩ：前記第１レンズ群の焦点距離
ＦII：前記第２レンズ群の焦点距離
ｆ２：前記前側レンズの焦点距離
ｄ４：前記前側レンズと前記後側レンズの空気間隔
ΣｄII：前記前側レンズの物体側の面から前記後側レンズの像面側の面までの軸上の距離
ΣｄＷ：ワイド端における第１レンズの物体側の第１面から結像面までの距離
ＩＨ：結像面の最大像高
【０００７】
ここで、条件式(１)は、色収差および像面湾曲とワイド端における光学系の光軸上の全長に関するものである。下限0.5を下回ると軸上および軸外の色収差が基準波長に対して短波長は(＋)方向、すなわち、補正過剰の状態となるばかりでなく、像面湾曲も増大して良好な結像特性を得ることができない。さらに、後側焦点距離が短くなり、受光素子などのカバーガラスやＩＲカットフィルタなどの挿入物に対するスペース確保が難しくなる。次に、上限1.5を超えると、軸上および軸外での色収差が短波長側で(−)方向となり、補正不足の状態となる。加えて光学系の全長も長くなってしまい、本発明の狙いとする小型化・コンパクト化に合致しなくなる。
【０００８】
条件式(２)は、ズームのワイドとテレの両端で全長を揃えるための条件である。上限2.5を超えるとΣｄＷ＞ΣｄＴ)ΣｄＴ：テレ端における第１レンズの物体側の第１面から結像面までの距離)となり、下限1.5を下回るとΣｄＷ＜ΣｄＴとなり、ズームの両端においてその全長を一定に保つことができなくなる。
【０００９】
条件式(３)は、ズーム全域における倍率の色収差と球面収差、コマ収差のバランスを良好に保つためのものであり、加えて、光学系の全長に係わるものでもある。上限0.65を超えると光学系の全長が長くなるばかりでなく、後側焦点距離の確保が難しくＩＲカットフィルタや受光素子などのカバーガラスの挿入が困難となるほか、ワイド側での軸外色収差が基準波長に対して短波長側が(＋)方向に補正過剰となり、球面収差とコマ収差のバランスがとりづらくなる。また、下限0.15を下回ると光学系の全長は短くできるが、ワイド側での倍率の色収差が発生し、基準波長に対し短波長が(−)方向となり補正不足となる。そして、ズーム全域において各光束がほぼ同一の有効輪帯を通過するようになるため、球面収差とコマ収差のバランスがとれなくなってしまう。さらに、近年において、この種のレンズに要求されるシャッタやアイリスなどの挿入物のスペースがとれなくなってしまう。
【００１０】
条件式(４)は、ズームレンズ全体のサイズを小型化するためのものであり、下限の0.25を下回るとレンズ系の全長が長くなり、本来の目的である小型コンパクト化の妨げとなる。また、上限の0.35を超えると光学系全体のサイズは小さくできるが、各レンズ群のパワーが強くなり過ぎ、このためズーム全域において良好な収差補正が困難となる。
【００１１】
条件式(５)は、色収差を良好に補正するためのものである。この条件を超えると、ズーム全域での色収差のバランスが取れなくなり、特に、ワイド端での色収差が基準波長に対して短波長が(−)方向となり補正不足となる。
【００１２】
次に、第２レンズ群の後側に配置された負レンズは、第１面が光束に対して正の屈折力を有し、第２面は負の屈折力を有する負のメニスカスレンズとすることにより、色収差の補正が容易であり、また、ズーム全域での非点収差を安定的に保ちながら、各波長に対する像面位置のズレおよび球面収差、コマ収差を良好に保つことが可能となる。
【００１３】
ここで、上記条件式に関連して、第２レンズ群の前側レンズの物体側レンズ面から後側レンズの像面側のレンズ面までの軸上の距離をΣｄIIとし、ワイド端の焦点距離をＦＷとしたとき、ズーム全域における軸上および軸外の色収差および球面収差、コマ収差のバランスを良好に補正するためには、次の条件を満たすことが望ましい。
０．５＜ΣｄII／ＦＷ＜１．１
【００１４】
下限0.5を下回ると、第２レンズ群を構成する正のパワーを有する第２レンズと負のパワーを有する第３レンズの間の空気レンズの間隔が小さくなり、ズーム全域での軸上および軸外の色収差を良好に補正する事が難しく、加えて、ワイド側でのコマ収差が増大してしまう。上限1.1を超えると、ワイド端における光軸上の全長が長くなり、さらに、第１レンズ群と第２レンズ群の有効口径も増大して、本来の小型コンパクト化に合致しない。加えて、ワイド端における主光線の最大射出角が大きくなり、ＣＭＯＳなどの受光素子に対する周辺光量の不足を招くことになる。
【００１５】
また、第３レンズ群のパワーを定めるためには、次の条件を満たすことが好ましい。
０．１＜ＦＷ／ＦIII＜０．７
但し、
ＦIII：前記第３レンズ群の焦点距離
【００１６】
この条件式において、その上限の0.7を超えると第３レンズ群のパワーが強くなり、ズーム系全体の焦点距離が広角側にシフトし過ぎてしまい、このため、ワイド側での軸外有効最大径が増大すると共に、後側焦点距離が短くなり、カバーガラスやＩＲカットフィルタなどの挿入物のスペースが確保できなくなる。さらには、倍率の色収差およびコマ収差などを良好に補正することが難しくなる。下限の0.1を下回るとズーム系全体の焦点距離が長い方向にシフトしてしまい、例えば、携帯用のズームレンズには不向きとなる。また、ワイド端における光軸上の全長が長くなって、小型コンパクト化に合致しない。
【００１７】
次に、本発明において、第２レンズ群を構成している凸の前側レンズと凹の後側レンズの間を、アイリスまたはシャッタを配置可能なスペースとし、このスペースを確保することにより、いわゆる、空気レンズとしての作用を得ることが可能となり、ズーム全域でのコマ収差を良好に維持させることができる。
【００１８】
また、第１レンズ群の第１面を非球面とし、この非球面を、接平面からのズレ量(サグ量)が光軸から外径に向かって、一旦(＋)方向に向かった後(−)方向となるようにすることが望ましい。このようにすると、テレ側での球面収差とコマ収差を良好に保つことができると共に、ワイド側でのディストーションを良好に補正することができる。
【発明の効果】
【００１９】
以上説明したように、本発明のズームレンズは３群４枚構成のレンズであり、３倍程度の高いズーム比を保持し、メガオーダ相当の高画素に対応することが可能である。よって、本発明によれば、第２レンズ群にアイリスおよびシャッタを内蔵可能な、小型でコンパクトなメガオーダの高画素に対応した高倍率のズームレンズを実現できる。
【発明を実施するための最良の形態】
【００２０】
以下に、図面を参照して、本発明を適用した３群４枚構成のズームレンズの各実施例について説明する。
【実施例１】
【００２１】
図１は実施例１に係る３群４枚構成のズームレンズを示す構成図である。
【００２２】
ズームレンズ１００は、物体側より結像面６に向かって、負のパワーを有する第１レンズ群Ｉ、正のパワーを有する第２レンズ群II、および正のパワーを有する第３レンズ群IIIがこの順に配列された４枚のレンズからなる３群構成のズームレンズである。ワイドからテレへの変倍にあたっては、第３レンズ群IIIが固定され、第１レンズ群Ｉが物体側より像面側６に光軸上を移動し、途中より像面側６から物体側に移動し、物体側に凹面をなすような軌跡で移動する。これに対して、第２レンズ群IIは像面側６から順次物体側に光軸上を移動することによって変倍する。
【００２３】
第１レンズ群Ｉは、物体側に凸面を向けた負のパワーを有するメニスカスの第１レンズ１であり、第２レンズ群IIは、物体側より順に配列された両凸からなる正の前側レンズ２（第２レンズ）と物体側に凸面を向けた負のパワーを有するメニスカスの後側レンズ３（第３レンズ）からなっている。一方、第３レンズ群IIIは、正のパワーを有する両凸の第４レンズ４からなっている。なお、各レンズに付した符号は以下の実施例についても対応部位に用いることとする。
【００２４】
本例では第１レンズ１と第３レンズ３が樹脂レンズであり、第１レンズ１の両面、第２レンズ２の両面、第３レンズ３の結像面６側のレンズ面、および第４レンズ４の両面が非球面となっている。また、第４レンズ４と結像面６との間にはカバーガラス５が配置され、第２レンズ群IIの第２レンズ２と第３レンズ３の間に絞り７が配置されている。
【００２５】
ズームレンズ１００の全光学系のレンズデータは、次の通りである。
（ワイド）  （ノーマル）    （テレ）
Ｆナンバー：      ３．０５      ４．５３      ６．２０
焦点距離  ：      ５．００      ９．４３    １４．３９mm
第１レンズ群の焦点距離  ＦＩ    ：  −１０．３４mm
第２レンズ群の焦点距離  ＦII    ：      ５．４４mm
第３レンズ群の焦点距離  ＦIII    :    １２．１５４mm
前側レンズの焦点距離    ｆ２：    ４．８４mm
ワイド端における第レンズの物体側の第１面から結像面までの距離
ΣｄＷ：  １６．８９５mm
前側レンズの物体側の面から後側レンズの像面側の面ｍでの軸上の距離
ΣｄII：    ４．２mm
【００２６】
表１Ａには、ズームレンズ１００の各レンズのレンズデータを示し、表１Ｂには、非球面とされたレンズ面の非球面形状を規定するための非球面係数を示してある。また、表１Ｃには、第１レンズ１の第１面の非球面に対するサグ量を示してある。
【００２７】
表１Ａにおいて、ｉは物体側より数えたレンズ面の順番を表し、Ｒはレンズ面の曲率半径を表し、ｄはレンズ面間の距離を表し、Ｎｄは各レンズの屈折率を表し、νｄは各レンズのアッベ数を表す。また、番号ｉに星印がついているレンズ面が非球面である。
【００２８】
【表１Ａ】
2006126254.tif 000003
【００２９】
【表１Ｂ】
2006126254.tif 000004
【００３０】
【表１Ｃ】
2006126254.tif 000005
【００３１】
なお、レンズ面に採用する非球面形状は、光軸方向の軸をＸ、光軸に直交する方向の高さをＨ、円錐係数をＫ、非球面係数をＡ、Ｂ、Ｃ、Ｄとすると、次式により表すことができる。
【００３２】
【数１】
2006126254.tif 000006
【００３３】
これらの各記号の意味、および非球面係数を表す式は、後述の実施例２〜５においても同様である。
【００３４】
本実施例１に係るズームレンズ１００は、次の条件式（１）〜（５）を満足している。
０．５＜ｆ２Ｆ／II＜１．５        （１）
１．５＜｜ＦＩ／ＦII｜＜２．５    （２）
０．１５＜ｄ４／ΣｄII＜０．６５  （３）
０．１＜ＩＨ／ΣｄＷ＜０．３０    （４）
νｄ１＞５０                      （５）
ただし、ＩＨ  ：結像面における最大像高
ｆ２  ：第２レンズ群の前側レンズの焦点距離
ｄ４  ：第２レンズ群の前側レンズと後側レンズによる空気間隔
ＦＩ  ：第１レンズ群の焦点距離（第１レンズの焦点距離）
ＦII  ：第２レンズ群の焦点距離
ΣｄII：第２レンズ群における前側レンズの物体側レンズ面より後側レンズの
像面側レンズ面までの距離
ΣｄＷ：ワイド端における第１レンズ群の物体側レンズ面より結像面までの距離
νｄ１：第１レンズのアッベ数
【００３５】
すなわち、ｆ２／ＦII＝0.89、｜ＦＩ／ＦII｜＝1.9、ｄ４／ΣｄII＝0.37、ＩＨ／ΣｄＷ＝0.18、νｄ１＝56.2であり、条件式を満足している。
【００３６】
図３は、実施例１に係るズームレンズ１００における諸収差を示す収差図である。図の(Ｗ)はワイド、(Ｎ)はノーマル、(Ｔ)はテレにおける収差図である。また、ＳＡは球面収差、ＯＳＣは正弦条件、ＡＳは非点収差、ＤＩＳＴはディストーションを表す。非点収差のうち、Ｔはタンジェンシャル、Ｓはサジタルの像面を表している。これらの記号の意味は、後述の実施例２〜５の諸収差を表す収差図においても同様である。
【００３７】
なお、前側レンズと後側レンズとの中間に配置されている絞りは、第２レンズ群の前後に設けても良いことは勿論である。
【実施例２】
【００３８】
図２Ａは、実施例２に係るズームレンズ２００を示す構成図である。ズームレンズ２００は物体側より順に配列された、負のパワーを有する第１レンズ群Ｉ、正のパワーを有する第２レンズ群II、正のパワーを有する第３レンズ群IIIからなる３群構成で、このパワー配分と変倍方式は実施例１と同様である。
【００３９】
第１レンズ群Ｉは、物体側に凸面を向けた負のパワーを有するメニスカスの第１レンズ１で、第２レンズ群IIは、物体側より順に配列された第２レンズ２(前側レンズ)と、絞りを介して、物体側に凸面を向けた負のパワーを有するメニスカスの第３レンズ３(後側レンズ)からなり、第３レンズ群IIIは、凸面を像面側に向けた正のパワーを有するメニスカスの第４レンズ４によって構成されている。
【００４０】
実施例１と同様に、第１レンズ１と第３レンズ３は樹脂製レンズであり、第１レンズ１、第２レンズ２、第４レンズ４の両面と第３レンズ３の片面が非球面となっている。また、第４レンズ４と結像面６の間にはカバーガラス５が配置されている。
【００４１】
ズームレンズ２００の全光学系のレンズデータは、次の通りである。
Ｆナンバー：      ３．０８      ４．６９      ６．４９
焦点距離  ：      ４．２０      ７．９１    １２．０５mm
ＦＩ    ：    −８．３５mm
ＦII    ：      ４．５１mm
ＦIII    ：  １０．５１mm
ｆ２    ：      ４．１１mm
ΣｄII  ：      ４．０mm
ΣｄＷ  ：    １５．０６mm
【００４２】
表２Ａには、ズームレンズ２００の各レンズ面のレンズデータを示し、表２Ｂには、非球面とされたレンズ面の非球面形状を規定するための非球面係数を示し、表２Ｃには、第１レンズ第１面の非球面に対するサグ量を示してある。また、図４は実施例２に係るズームレンズ２００の諸収差を示す収差図である。
【００４３】
【表２Ａ】
2006126254.tif 000007
【００４４】
【表２Ｂ】
2006126254.tif 000008
【００４５】
【表２Ｃ】
2006126254.tif 000009
【００４６】
本実施例２に係るズームレンズ２００は、条件式(１)〜(５)を満足している。すなわち、ｆ２／ＦII＝0.91、｜ＦＩ／ＦII｜＝1.85、ｄ４／ΣｄII＝0.33、ＩＨ／ΣｄＷ＝0.166、νｄ１＝56.2であり、条件式を満足している。
【実施例３】
【００４７】
図２Ｂは、実施例３に係るズームレンズ３００を示す構成図である。ズームレンズ３００は、実施例２と同様に第４レンズが像面側に凸面を向けた正のメニスカスレンズとなっている。また、各群のパワー配分と変倍のための移動方向は前記二つの実施例と同様である。
【００４８】
第１レンズ群Ｉは、物体側に凸面を向けた負のパワーを有するメニスカスの第１レンズ１で、第２レンズ群IIは、物体側より順に配列された正のパワーを有する第２レンズ２の前側レンズで、絞りを介して、物体側に凸面を向けたメニスカスの負の第３レンズ３からなる後側レンズであり、第３レンズ群IIIは、像面側に凸面を向けた正のメニスカスの第４レンズ４によって構成されている。
【００４９】
第１レンズ１と第３レンズ３は、前記実施例と同様に樹脂製レンズで、第１レンズ１、第２レンズ２、第４レンズ４の両面と第３レンズ３の片面が非球面となっている。また、第４レンズ４と結像面６との間には、カバーガラス５が配置されている。
【００５０】
ズームレンズ３００の全光学系のレンズデータは、次の通りである。
Ｆナンバー：      ２．８６      ４．１８      ５．７７
焦点距離  ：      ５．０        ９．４３    １４．３９mm
ＦＩ    ：  −１０．６５mm
ＦII    ：      ５．６７mm
ＦIII    ：      ９．５４mm
ｆ２    ：      ５．１４mm
ΣｄII  ：      ５．０mm
ΣｄＷ  ：    １８．６１mm
【００５１】
表３Ａには、ズームレンズ３００の各レンズ面のレンズデータを示し、表３Ｂには、非球面とされたレンズ面の非球面形状を規定するための非球面係数を示し、表３Ｃには、第１レンズ第１面の非球面に対するサグ量を示してある。また、図５は実施例３に係るズームレンズ３００の諸収差を示す収差図である。
【００５２】
【表３Ａ】
2006126254.tif 000010
【００５３】
【表３Ｂ】
2006126254.tif 000011
【００５４】
【表３Ｃ】
2006126254.tif 000012
【００５５】
本実施例３に係るズームレンズ３００は、条件式(１)〜(５)を満足している。すなわち、ｆ２／ＦII＝0.91、｜ＦＩ／ＦII｜＝1.88、ｄ４／ΣｄII＝0.33、ＩＨ／ΣｄＷ＝0.134、νｄ１＝56.2であり、条件式を満足している。
【実施例４】
【００５６】
図２Ｃは、実施例４に係るズームレンズ４００を示す構成図である。ズームレンズ４００は、前記実施例１〜３と同じ３群構成のズームレンズであり、各群のパワー配分と変倍のための移動方式も、また、レンズ構成も前記の実施例１〜３と同様であるので説明を省略する。
【００５７】
ズームレンズ４００の全光学系のレンズデータは、次の通りである。
Ｆナンバー：      ３．１６      ４．７０      ６．４３
焦点距離  ：      ５．１６      ９．７３    １４．８４mm
ＦＩ    ：  −１０．５２mm
ＦII    ：      ５．４５mm
ＦIII    ：    １２．９３mm
ｆ２    ：      ４．８１mm
ΣｄII  ：      ４．２mm
ΣｄＷ  ：    １６．９８mm
【００５８】
表４Ａには、ズームレンズ４００の各レンズ面のレンズデータを示し、表４Ｂには、非球面とされたレンズ面の非球面形状を規定するための非球面係数を示し、表４Ｃには、第１レンズ第１面の非球面に対するサグ量を示してある。また、図６には実施例４に係るズームレンズ４００の諸収差を示してある。
【００５９】
【表４Ａ】
2006126254.tif 000013
【００６０】
【表４Ｂ】
2006126254.tif 000014
【００６１】
【表４Ｃ】
2006126254.tif 000015
【００６２】
本実施例４に係るズームレンズ４００は、条件式を満足している。すなわち、ｆ２／ＦII＝0.88、｜ＦＩ／ＦII｜＝1.88、ｄ４／ΣｄII＝0.37、ＩＨ／ΣｄＷ＝0.166、νｄ１＝56.2であり、条件式を満足している。
【実施例５】
【００６３】
実施例５に係るズームレンズ５００の構成は、ズームレンズ１００と基本的に同一である。ズームレンズ５００も前記各実施例と同じ３群構成のズームレンズであり、各群のパワー配分と変倍のための移動方式も、また、レンズ構成も同様であるので説明を省略する。
【００６４】
ズームレンズ５００の全光学系のレンズデータは、次の通りである。
Ｆナンバー：      ３．０８      ４．５８      ６．２７
焦点距離  ：      ５．０        ９．４３    １４．３９mm
ＦＩ    ：  −１０．４４mm
ＦII    ：      ５．４４mm
ＦIII    ：    １２．０４mm
ｆ２：    ４．８４mm
ΣｄII：    ４．２mm
ΣｄＷ  :  １６．９mm
【００６５】
表５Ａには、ズームレンズ５００の各レンズ面のレンズデータを示し、表５Ｂには、非球面とされたレンズ面の非球面形状を規定するための非球面係数を示し、表５Ｃには、第１レンズ第１面の非球面に対するサグ量を示してある。また、図７には実施例５に係るズームレンズ５００の諸収差を示してある。
【００６６】
【表５Ａ】
2006126254.tif 000016
【００６７】
【表５Ｂ】
2006126254.tif 000017
【００６８】
【表５Ｃ】
2006126254.tif 000018
【００６９】
本実施例５に係るズームレンズ５００は、条件式(１)〜(５)を満足している。すなわち、ｆ２／ＦII＝0.89、｜ＦＩ／ＦII｜＝1.92、ｄ４／ΣｄII＝0.37、ＩＨ／ΣｄＷ＝0.167、νｄ１＝56.2であり、条件式を満足している。
【図面の簡単な説明】
【００７０】
【図１】本発明の実施例１および実施例５に係るズームレンズの構成図である。
【図２Ａ】本発明の実施例２に係るズームレンズの構成図である。
【図２Ｂ】本発明の実施例３に係るズームレンズの構成図である。
【図２Ｃ】本発明の実施例４に係るズームレンズの構成図である。
【図３】実施例１のズームレンズの収差図である。
【図４】実施例２のズームレンズの収差図である。
【図５】実施例３のズームレンズの収差図である。
【図６】実施例４のズームレンズ収差図である。
【図７】実施例５のズームレンズの収差図である。
【符号の説明】
【００７１】
Ｉ  第１レンズ群
II  第２レンズ群
III  第３レンズ群
１  第１レンズ
２  第２レンズ（前側レンズ）
３  第３レンズ（後側レンズ）
４  第４レンズ
５  カバーガラス
６  結像面
７  絞り
ｄ４  第２レンズと第３レンズによって形成される空気間隔
【図１】
2006126254.tif 000019
【図２Ａ】
2006126254.tif 000020
【図２Ｂ】
2006126254.tif 000021
【図２Ｃ】
2006126254.tif 000022
【図３】
2006126254.tif 000023
【図４】
2006126254.tif 000024
【図５】
2006126254.tif 000025
【図６】
2006126254.tif 000026
【図７】
2006126254.tif 000027